(57)【要約】【目的】  弾性ロープと外部部材とを簡単に接続でき、且つ、弾性ロープ面を傷付けることなく接続できる弾性ロープと外部部材との接続方法を提供する。【解決手段】  弾性ロープ１に、ロープのほぼ中心を通過する貫通孔１ａを長手方向に複数列設し、一対の２つ割ケース体の一方の半ケース（外部部材）２に、それぞれの貫通孔１ａに対応する挿通可能な突出部２ａを複数設けて、弾性ロープ１の貫通孔１ａを半ケース２の突出部２ａに嵌着し、この半ケース２に他方の半ケース（冠体）３を組み合わせると共に、固定用ねじ４で半ケース２と半ケース３を固定する。【選択図】  図２
2013220074.tif 000002
【特許請求の範囲】
【請求項１】
弾性ロープと外部部材とを接続する方法であって、弾性ロープに、該ロープの幅のほぼ中心を通過する複数の貫通孔を長手方向に列設し、外部部材に、それぞれの貫通孔に対応する挿通可能な複数の突出部を設けて、上記弾性ロープの貫通孔を上記外部部材の突出部に嵌着し、少なくとも１箇所以上の嵌着部を、嵌着維持手段によって維持することを特徴とする弾性ロープと外部部材との接続方法。
【請求項２】
上記弾性ロープの長手方向に列設された上記複数の貫通孔のうちの少なくとも最も長手方向の中央側に位置する貫通孔の周囲のロープ体部分が、膨出形成されてなることを特徴とする請求項１の弾性ロープと外部部材との接続方法。
【請求項３】
上記嵌着が、弾性ロープに冠着可能に構成した冠体を上記外部部材に取り付けることによって維持され、また、維持状態において、該冠体の一部と上記外部部材の突出部端部とが係合してなることを特徴とする請求項１の弾性ロープと外部部材との接続方法。
【請求項４】
上記外部部材および冠体が、一対の２つ割ケース体として形成されてなることを特徴とする請求項３の弾性ロープと外部部材との接続方法。
【発明の詳細な説明】
【技術分野】
【０００１】
本発明は、天然素材や合成素材などからなる弾性ロープを外部部材に接続する場合に好適な接続方法に関する。
【背景技術】
【０００２】
従来、天然ゴムや合成ゴム素材などからなる弾性ロープを外部部材に接続する場合には、例えば、上記弾性ロープを利用してなる釣り具のクッション具（特許文献１，２参照）に見られる接続方法がある。
【０００３】
特許文献１に開示されているものは、弾性ロープたる伸縮自在のウレタンゴム材の端部を外部部材たる合成樹脂成形体にインサートすることで、該弾性ロープと合成樹脂成形体とを接続している。
【０００４】
特許文献２に開示されているものは、外部部材たるサルカンのリング内に通した弾性ロープたるポリウレタンエラストマー材の端部を折り返して本体に熱融着することで、該弾性ロープとサルカンとを接続している。
【０００５】
また、弾性ロープの周面を外部部材の構成部材たる押圧体で押圧することによって該弾性ロープと外部部材とを接続する接続方法もあるが、該方法は、上記接続方法に比して簡単に弾性ロープと外部部材とを接続できる反面、弾性ロープ面に傷が生じた場合に同傷部から裂け破断する恐れがあった。
【先行技術文献】
【特許文献】
【０００６】
【特許文献１】特開２００２−８４９４４号公報
【特許文献２】登録実用新案第３１５８２０５号公報
【発明の概要】
【発明が解決しようとする課題】
【０００７】
本発明の目的とするところは、弾性ロープと外部部材とを簡単に接続でき、且つ、弾性ロープ面を傷付けることなく接続できる、弾性ロープと外部部材との接続方法を提供することにある。
【課題を解決するための手段】
【０００８】
上述した課題を解決するために、本発明に係る弾性ロープと外部部材との接続方法の要旨とするところは、弾性ロープに、ロープの幅のほぼ中心を通過する複数の貫通孔を長手方向に列設し、外部部材に、それぞれの貫通孔に対応する挿通可能な複数の突出部を設けて、弾性ロープの貫通孔を外部部材の突出部に嵌着し、少なくとも１箇所以上の嵌着部を、嵌着維持手段によって維持することを特徴とするものである。
【０００９】
弾性ロープとは、外力によって伸びまた外力を除くともとに戻る性質を有する物質から形成されているロープであり、例えば、天然素材や合成素材などからなる天然ゴムや合成ゴム（エラストマー／シリコーンなど）素材からなり、再生ゴムからなるものも含まれる。
【００１０】
該弾性ロープの形態は、単線ロープや、単線ロープを複数束ね、例えば、適当な本数を並べて構成したものや適当な本数を撚り合わせて形成したもの（撚り線）などの複線ロープである。
【００１１】
また、弾性ロープの形態例としては、内部を中空とするチューブも弾性ロープに含まれ、そしてこのチューブの形態例としては、単線チューブ（単線チューブロープ）、単線チューブを複数束ねて、例えば、適当な本数を並べて構成したものや適当な本数を撚り合わせて形成したもの（撚り線）などの複線チューブ（複線チューブロープ）である。
【００１２】
そして、上述する弾性ロープに、ロープの幅のほぼ中心を通過する複数の貫通孔を長手方向に列設するが、貫通孔の間隔は、該弾性ロープの径や素材の柔軟度などの材質、また、外部部材の材質や形態などを考慮して決定すればよい。貫通孔の平面視形状も、一般的な円形に限定するものではなく、最良の形状にすればよい。
【００１３】
また、弾性ロープに形成する複数の貫通孔のうちの少なくとも弾性ロープの最も中央側に位置する貫通孔の周囲のロープ体部分を膨出形成する場合もある。
【００１４】
上記膨出形成は、好ましくは略球状に形成するのがよいが、弾性ロープの形成素材や弾性ロープに掛かる張力の強さなどにより、該弾性ロープが断面略円形のものであれば、同略直径方向における弾性ロープの長手方向に略直交する両側を膨出させる形態にしてもよい。
【００１５】
そして、単線ロープに膨出部を設ける場合の一例としては、ロープを成形する時に同時に成形するようにしてもよく、また、複線ロープに膨出部を設ける場合の一例としては、膨出形成位置の複数のロープを溶着などによって一体にし、同部位を成型や盛り付けなどによって膨出成形するようにしてもよく、さらには、貫通孔を同時に成形してもよい。
【００１６】
そして、上記単線チューブや複線チューブに膨出部を設ける場合も、上述する単線ロープや複線ロープに設ける場合と同じようにすればよい。
【００１７】
外部部材とは、上記弾性ロープと接続する該弾性ロープに設けられた貫通孔を嵌める突出部が設けられてなるもので、そして、該突出部に通孔を嵌めて接続された弾性ロープが該嵌着状態を維持できるように構成してなるもので、形態は任意である。
【００１８】
また、外部部材に設ける突出部は、弾性ロープ膨出部の通孔を嵌着可能な形態であればよく、例えば、円柱状にすればよい。さらに、突出部の径と弾性ロープの貫通孔径は略同じにして、弾性ロープが安定した嵌着状態になるようにするのがよい。
【００１９】
そして、上記弾性ロープの該嵌着を維持するための一例としては、弾性ロープに冠着可能に構成した冠体を、外部部材に固定用ねじなどの固定手段によって取り付けて、弾性ロープの貫通孔が外部部材の突出部から外れないようにすればよい。なお、該冠体には少なくとも外部部材の突出部に係合する係合部（例えば、突出部の端部に嵌る嵌着部分）を設けて、弾性ロープの貫通孔が外部部材の突出部から確実に外れないようにするのが望ましい。
【００２０】
また、上記外部部材および冠体は、一対の２つ割ケース体として形成する場合もある。この場合、半ケースとなる外部部材および冠体の形状は特に限定するものではない。
【００２１】
なお、本接続方法は、被接続体が比較的軽量のものに適するが、弾性ロープに形成する貫通孔周囲のロープ体部分を膨出形成したり、または、太い弾性ロープを用いることで、比較的重い被接続体に用いることもできる。
【００２２】
そして、上述したように、弾性ロープに形成する複数の貫通孔のうちの少なくとも弾性ロープの最も中央側に位置する貫通孔の周囲のロープ本体を膨出形成する場合や、弾性ロープに形成する全ての貫通孔周囲のロープ本体を膨出形成する場合は、上記冠体および同冠体が取り付けられる外部部材に、弾性ロープの膨出部（膨出形成部）の延伸を抑制する隔壁を設けて、該弾性ロープが伸長した際に、同伸長により延伸する膨出部の伸びを抑制し、貫通孔の縁に掛かる負荷を低減させるようにしてもよい。
【発明の効果】
【００２３】
本発明の弾性ロープと外部部材との接続方法によれば、接続した際に、弾性ロープ面に外圧が掛かることがないので該弾性ロープ面に傷が生じることがなく、従って、傷部から弾性ロープが裂けて破断する恐れもなく安定した接続が可能となる。
【００２４】
また、弾性ロープに複数の接続部を列設しているので、長期の使用や伸長によるストレスによって該弾性ロープの中央側に位置する貫通孔の通孔が拡大してしまった場合でも、この通孔が拡大した貫通孔の次に配している貫通孔がしっかりと外部部材の突出部に嵌っているため、弾性ロープと外部部材との接続が緩むことがない。
【図面の簡単な説明】
【００２５】
【図１】本発明に係る弾性ロープと外部部材を示す斜視図。
【図２】本発明に係る弾性ロープと外部部材および冠体との接続を示す斜視図。
【図３】他の形態の弾性ロープと外部部材との接続を示す斜視図。
【図４】他の形態の弾性ロープと外部部材との接続を示す斜視図。
【発明を実施するための形態】
【００２６】
以下、本発明に係る弾性ロープと外部部材との接続方法を、添付図面に示す具体例に基づいて詳細に説明する。
【００２７】
本実施例で示している弾性ロープは、柔軟性を大にする例えばシリコーンゴムからなり、また、上述した外部部材および冠体は、一対の２つ割ケース体に形成しているもので、これらを一例にして説明する。
【００２８】
弾性ロープ１は、図１中の（ａ）に示すように、ロープのほぼ中心を貫く貫通孔１ａを長手方向に複数列設している。
【００２９】
図１中の（ｂ）は、外部部材および冠体を一対の２つ割ケース体に形成しているもので、該ケースの一方の半ケース２（外部部材）に、弾性ロープ１に形成したそれぞれの貫通孔１ａに挿通可能な突出部２ａを設けて、また、他方の半ケース３（冠体）に、半ケース２の突出部２ａの端部（端部近傍も含まれる）に嵌合する嵌合部３ａを設けている。
【００３０】
また、図１中の（ｂ）中の符号２ｂ、２ｃ、３ｂ、３ｃは、半ケース２と半ケース３を固定するための固定用ねじ４のねじ孔である。
【００３１】
上記固定用ねじ４は、相手部材に自らねじ立てをしながら進入するタッピングネジを用いたり、ナットと組んで用いる一般的なボルトを用いる場合がある。
【００３２】
以下、上述した弾性ロープ１と、半ケース（外部部材）２および半ケース（冠体）３とを接続する場合を、図１、図２によって説明する。
【００３３】
先ず、図１中の（ａ）に示した弾性ロープ１の貫通孔１ａを、図１中の（ｂ）に示した半ケース２の突出部２ａに嵌めて、図２中の（ａ）に示した状態にセットする。
【００３４】
次いで、図１中の（ｂ）に示した半ケース３を、図２中の（ａ）に示した半ケース２に組み付けるために、図２中の（ｂ）に示すように、固定用ねじ４を、半ケース３のねじ孔３ｃ、３ｂに通し、半ケース２のねじ孔２ｃ、２ｂに螺入させていく（タッピングネジの場合）。
【００３５】
これにより、図２中の（ｃ）に示すように、弾性ロープ１の貫通孔１ａが半ケース２の突出部２ａに確実に嵌着されて（嵌着状態の維持）、弾性ロープ１と、半ケース（外部部材）２および半ケース（冠体）３とが接続される。
【００３６】
図３、図４に、他の形態の弾性ロープと外部部材との接続を示していて、被接続体の重量が比較的重い被接続体にも対応できるようにしているものである。
【００３７】
そして、図３中の（ａ）に示すものは、弾性ロープ１の中央側に位置する貫通孔１ａ周囲のロープ本体を膨出形成（膨出形成部１ｂ）し、且つ、この膨出形成部１ｂの延伸を抑制するための隔壁２ｄを半ケース２に（図３中の（ｂ）参照）、隔壁３ｄを半ケース３に（図３中の（ｃ）参照）設けて、該弾性ロープ１が伸長した際に、同伸長により延伸する膨出形成部１ｂの伸びを抑制して、貫通孔１ａの縁に掛かる負荷を低減させたものである。図３中の（ｄ）は、弾性ロープ１のそれぞれの貫通孔１ａを半ケース２の突出部２ａに嵌着させた状態を示した図である。
【００３８】
また、図４中の（ａ）に示すものは、弾性ロープ１に形成する全ての貫通孔１ａ周囲のロープ本体を膨出形成（膨出形成部１ｂ）し、且つ、貫通孔１ａ全てに対する隔壁２ｄを半ケース２に（図４中の（ｂ）参照）、隔壁３ｄを半ケース３に（図３中の（ｃ）参照）設けて、万一、弾性ロープ１の中央側に位置する貫通孔１ａが破損した場合でも、破損した貫通孔１ａの隣に配されている貫通孔１ａの膨出形成部１ｂの延伸を抑制できるようにしたものである。図４中の（ｄ）は、弾性ロープ１のそれぞれの貫通孔１ａを半ケース２の突出部２ａに嵌着した状態を示した図である。
【００３９】
実施例における図２中の（ｃ）中の符号５は、半ケース（外部部材）２および半ケース（冠体）３をフックなどに係着するためのリングである。
【符号の説明】
【００４０】
１…弾性ロープ
１ａ…貫通孔
１ｂ…膨出形成部
２…半ケース（外部部材）
２ａ…突出部
２ｂ…ねじ孔
２ｃ…ねじ孔
３…半ケース（冠体）
３ａ…嵌合部
３ｂ…ねじ孔
３ｃ…ねじ孔
４…固定用ねじ
５…リング
【図１】
2013220074.tif 000003
【図２】
2013220074.tif 000004
【図３】
2013220074.tif 000005
【図４】
2013220074.tif 000006